(57)【特許請求の範囲】
【請求項１】
第１方向に延びる流入水路からの水が流れ込む吸込水槽と、
前記吸込水槽内に設けられ、前記流入水路からの水の流れの方向を前記第１方向から第２方向に変える複数の壁と、
前記第２方向に延び、前記吸込水槽からの水が流れ込むポンプ吸込水路であって、底に堰が設けられておらず、前記複数の壁とは接続されていない隔壁によって複数の水路が形成されたポンプ吸込水路と、
前記ポンプ吸込水路における各水路内に配置されたポンプと、を備え、
前記複数の壁は、前記複数の壁のそれぞれが受ける水量と、前記吸込水槽の前記流入水路と対向する側壁が受ける水量とがいずれも等しくなるよう配置され、これにより、前記ポンプ吸込水路における各水路に流れ込む水量が互いに等しくなり、かつ、
前記複数の壁は、各水路内に配置されたポンプのそれぞれの吐出量に応じた間隔で配置される排水機場。
【請求項２】
前記壁は上下動可能である、請求項１に記載の排水機場。
【発明の詳細な説明】
【技術分野】
【０００１】
本発明は、河川または地下放水路等からの流入水を複数のポンプで排水する排水機場に関し、特に、例えば都市部に設置するのに好適なコンパクトな排水機場に関する。また、本発明は、当該排水機場の排水方法に関する。
【背景技術】
【０００２】
河川や下水などを排水する排水機場におけるポンプは、その重要性や予備機を設けない設計思想などから、確実な始動および運転が求められる。したがって、全てのポンプが同様の条件で安定した運転ができるよう、ポンプに流れ込む水流を安定化させる必要がある。
【０００３】
そのために、長い吸込水槽を構築することで沈砂と流入水の安定、すなわち偏流や渦の防止を図ることが行われてきた（例えば、特許文献１）。しかしながら、流入水を安定させるためには吸込水槽を相応の長さにする必要があり、スペース的にも費用的にも問題がある。しかも、近年の排水設備では、地域の都市化やゲリラ豪雨などの影響で流入量が計画時より多くなる可能性や、長距離にわたって地下に幹線を敷設する際の費用削減のために幹線の水路幅が小型化されて、排水機場流入部での流速が速くなることなどから、さらに長い吸込水槽（安定区間）が必要となってきており、上記の問題はますます大きくなっている。
【０００４】
従来、吸込水槽内に可動仕切壁を設けること（特許文献２）や、吸込水槽内に隔壁を設けること（特許文献３）が開示されているが、流入水路の流速が速い場合、吸込水槽内の流れはそのまま直進する傾向にあり、流入水の安定を図ることができない。
【０００５】
特許文献４〜６には、底部に吸込水槽を、中央部に吐出水路を設け、複数の立軸ポンプを吐出水路の外周部に周方向に配置した構成のポンプ場が開示されている。また、特許文献７には、水流に対して直交する堰を流路に設けた構成のポンプ吸込水槽が開示されている。これらの構成によれば、吸込水槽を短くすることが見込まれる。
【先行技術文献】
【特許文献】
【０００６】
【特許文献１】特開平１０−７３０９０号公報
【特許文献２】特開平９−５３６００号公報
【特許文献３】実開平６−６７８９８号公報
【特許文献４】特開平５−１８０１８７号公報
【特許文献５】実開平５−８９５２０号公報
【特許文献６】特許第２５０６２３３号公報
【特許文献７】実開昭６１−１８７９９８号公報
【発明の概要】
【発明が解決しようとする課題】
【０００７】
しかしながら、特許文献４〜６の構成では、吸込水槽が閉鎖空間となるため、ポンプトリップ時に生じるアップサージやＵ字管現象により上流側に水が逆流することがあり、マンホールが吹き飛んだりするおそれがある。また、特許文献７の構成では、堰を設けるため流入側の運用水位が高くなり、治水の信頼性を悪化させる。すなわち流入水の流量変動に対してポンプ側の水位変化が極めて敏感であり、始動の遅れや、流入量と吐出量のアンバランスにより上流側河川が溢れる虞がある。このため吸込水槽に十分なバッファを設ける必要があり、排水機場のスペースが広大となる。
【０００８】
本発明はこのような問題点に鑑みてなされたものであり、本発明の課題は、広大な設置面積を不要とし、かつ流入水を偏流なく各ポンプへ導き、全てのポンプの能力を最大限に発揮することのできる排水機場および排水方法を提供することである。
【課題を解決するための手段】
【０００９】
本発明の一態様によれば、第１方向に延びる流入水路からの水が流れ込む吸込水槽と、前記吸込水槽内に設けられ、前記流入水路からの水の流れの方向を前記第１方向から第２方向に変える壁と、前記第２方向に延び、前記吸込水槽からの水が流れ込むポンプ吸込水路と、前記ポンプ吸込水路内に配置された複数のポンプと、を備える排水機場が提供される。
吸込水槽内に壁を設けて水の流れの方向を変えるため、吸込水槽を小型化できる。
【００１０】
前記複数のポンプのそれぞれの吐出量に応じた間隔で配置された複数の前記壁を備えるのが望ましい。
これにより、各ポンプの能力を最大限に発揮させることができる。
【００１１】
前記吸込水槽内には、それぞれが等流量の水を受ける複数の前記壁が設けられるのが望ましい。
これにより、各ポンプに均等に水が流れ込む。
【００１２】
前記壁は上下動可能であるのが望ましい。
これにより、流入水路からの水量に応じて適宜壁を昇降させることができる。
【００１３】
排水機場は、前記吸込水槽に接続された残水排水槽と、前記残水排水槽内に配置された残水排水ポンプと、を備えるのが望ましい。
これにより、吸込水槽内の残水を排水できる。
【００１４】
前記吸込水槽の底は、前記残水排水槽に向かって低くなるよう傾斜しているのが望ましい。
また、前記残水排水槽の底は、吸込水槽の底より低いのが望ましい。
これにより、吸込水槽内の残水や塵芥を残水排水槽に導くことができる。
【００１５】
当該排水機場は地下に設けられるが、前記残水排水槽の上方の少なくとも一部は開口しており、当該排水機場は、前記開口を通って下降可能なバケットを備えるのが望ましい。
これにより、吸込水槽内の塵芥を除去できる。
【００１６】
排水機場は、前記吸込水槽と前記ポンプ吸込水路との間に設けられた第１ゲートと、吐出水槽からの水が流れ込むバイパス水路と、前記ポンプ吸込水路に設けられた連通口と、記バイパス水路と、の間に設けられた第２ゲートと、を備えるのが望ましい。
これにより、簡易にポンプの管理運転を行うことができる。
【００１７】
また、本発明の別の態様によれば、複数のポンプが設けられた排水機場における排水方法であって、第１方向に延びる流入水路からの水の流れの方向を、吸込水槽内に設けられた壁によって前記第１方向から前記第２方向に変え、前記第２方向に延びるポンプ吸込水路に設けられた前記複数のポンプにそれぞれの吐出量に応じた水を導く、排水方法が提供される。
壁によって水の流れの方向を変えるため、吸込水槽を小型化できる。
【発明の効果】
【００１８】
排水機場を小型化できるとともに、全てのポンプの能力を最大限に発揮することができる。
【図面の簡単な説明】
【００１９】
【図１】第１の実施形態に係る排水機場１００を上方から見た図。
【図２】図１の排水機場１００をＢ−Ｂ断面から見た図。
【図３】流入水路１の断面が矩形である場合の壁２１ａ〜２１ｃの配置を説明する図。
【図４】流入水路１の断面が円形である場合の壁２１ａ〜２１ｃの配置を説明する図。
【図５】壁２１ａ〜２１ｃを設けない場合の水の流れを模式的に示す図。
【図６Ａ】壁の形状の例を示す図。
【図６Ｂ】壁の形状の例を示す図。
【図７】壁の形状の例を示す図。
【図８】第２の実施形態に係る排水機場１０１を上方から見た図。
【図９】図８の排水機場１０１をＣ−Ｃ断面から見た図。
【発明を実施するための形態】
【００２０】
以下、本発明に係る実施形態について、図面を参照しながら具体的に説明する。
【００２１】
（第１の実施形態）
図１は、第１の実施形態に係る排水機場１００を上方から見た図である。図２は、図１の排水機場１００をＢ−Ｂ断面から見た図である。なお、図１は図２のＡ−Ａ断面から見た図に相当する。この排水機場１００は地上から数十ｍの地下に設けられるものであり、上流側から順に並ぶ流入水路１、吸込水槽２およびポンプ吸込水路３を備えるとともに、吸込水槽２内に設けられた１または複数（図１の例では３つ）の壁２１ａ〜２１ｃと、ポンプ吸込水路３に設けられた隔壁３１ａ〜３１ｃおよびポンプ３２ａ〜３２ｄとを備えている。
【００２２】
流入水路１は排水機場１００の上流側に設けられており、その断面形状は図２に示すように円形でもよいし、矩形でもよく、特に制限はない。流入水路１は、省スペースのため、できるだけ幅狭であるのが望ましく、具体的には吸込水槽２より幅狭であるのが望ましい。便宜上、流入水路１が延びる方向（言い換えると、流入水路１中の水の流れの方向）をｘ方向と呼ぶ。
【００２３】
吸込水槽２は流入水路１と直接接続されており、流入水路１からの水が流れ込む。吸込水槽２の形状は、図示のように矩形でもよいし、流入水路１との接続箇所から徐々に拡がっていてもよく、特に制限はない。
【００２４】
本実施形態の特徴の１つとして、吸込水槽２には、その側壁とは別に壁２１ａ〜２１ｃが設けられる。壁２１ａ〜２１ｃは、流入水路１からの水を受け、その流れの方向を斜め方向に変える。すなわち、壁２１ａ〜２１ｃはｘ方向に流れる流入水路１からの水の流れをｙ方向に変える。本実施形態において、ｙ方向がｘ方向と直交する例を示す。図２に示すように、壁２１ａ〜２１ｃの下部は吸込水槽２の底部と接しており、上部は計画高水位ＨＷＬ（High Water Level）より高い位置にあればよい。例えば壁２１ａ〜２１ｃの上端を吸込水槽２の天井まで伸ばすことで壁２１ａ〜２１ｃが天盤の支柱として機能し、天盤を簡素化できる。
【００２５】
なお、壁２１ａ〜２１ｃの高さは同一でなくてもよく、ポンプ３２ａ〜３２の吐出量に応じて異なっていてもよい。例えばポンプ３２ａのみ吐出量が小さい場合、ポンプ３２ａに水流を向けるための壁２１ａの高さは、ポンプ吸込水路３より高くＨＷＬ以下としてもよい。これにより、不必要に水流の向きを変えることがなく、損失を低減できる。
【００２６】
ポンプ吸込水路３は吸込水槽２と直接接続され、吸込水槽２からの水が流れ込む。図１に示すように、ポンプ吸込水路３は吸込水槽２と幅が等しい。なお、ポンプ吸込水路３は流入水路１とは一直線上にはなく、本実施形態ではｙ方向（つまり流入水路１と直交する方向）に延びている。
【００２７】
また、図２に示すように、ポンプ吸込水路３と吸込水槽２の底面は共通している。ポンプ吸込水路３の天井面は吸込水槽２の天井面より低く、具体的には、ポンプ吸込水路３の天井面は、吸込水槽２から所定距離は高さが一定であり、その後、下流側に向かって下方に傾斜し、その後、また高さが一定となる。
【００２８】
ポンプ吸込水路３には、平行に延びる複数の隔壁３１ａ〜３１ｃが設けられ、流入水路１に近い側から順に水路３３ａ〜３３ｄを形成する。また、ポンプ吸込水路３には、水路３３ａ〜３３ｄそれぞれの最下流にポンプ３２ａ〜３２ｄが設けられる。ポンプ３２ａ〜３２ｄはポンプ吸込水路３内の水を排水する。なお、ポンプ３２ａ〜３２ｄとして立軸斜流ポンプを例示しているが、立軸渦巻斜流ポンプ、軸流ポンプ、斜流ポンプ、渦巻斜流ポンプ、水中ポンプなどでもよく、特に制限はない。
【００２９】
このような排水機場１００は次のように機能する。
流入水路１には、流速２〜５ｍ／ｓ程度の水が河川や地下放水路などから流入する。この水はｘ方向に吸込水槽２に流れ込むが、吸込水槽２内において、壁２１ａ〜２１ｃによって水は減勢するとともに流れの向きがｙ方向に変えられる。ここで、後述するように、壁２１ａ〜２１ｃは、水路３３ａ〜３３ｄに均等に水が流れ込むように配置されている。よって、流入水路１に最も近い水路３３ａにも、最も遠い水路３３ｄにも、これらの間の水路３３ｂ，３３ｃにも、均等に水が流れ込む。
【００３０】
水路３３ａ〜３３ｄに流れ込んだ水はポンプ３２ａ〜３２ｄによって揚水され、吐出側河川（不図示）に排水される。
【００３１】
このように、壁２１ａ〜２１ｄは整流機能を有し、水路３３ａ〜３３ｄに均等に水が流れ込む。そのため、偏流なくポンプ３２ａ〜３２ｄに均等に水が流れ込み、ポンプ３２ａ〜３２ｄの能力を最大限に発揮できる。
【００３２】
次に、壁２１ａ〜２１ｃの配置について説明する。ポンプ３２ａ〜３２ｄの吐出量がすべて等しい場合（つまり同一容量である場合）、壁２１ａ〜２１ｃは、すべての水路３３ａ〜３３ｄに均等に水が流れ込むように、言い換えると、ポンプ３２ａ〜３２ｄに均等に水が流れ込むように配置される。具体的には、次のようにして、等流量が流れる間隔で、つまり、流速が均等になるよう壁２１ａ〜２１ｃを配置すればよい。
【００３３】
図３は、流入水路１の断面が矩形である場合の壁２１ａ〜２１ｃの配置を説明する図である。この場合、流入水路１の側壁１１と壁２１ａの端部２１ａｏとの距離ｄ１と、壁２１ａの端部２１ａｏと壁２１ｂの端部２１ｂｏとの距離ｄ２と、壁２１ｂの端部２１ｂｏと壁２１ｃの端部２１ｃｏとの距離ｄ３と、壁２１ｃの端部２１ｃｏと流入水路１の側壁１２との距離ｄ４と、が等しくなるようにすればよい。
【００３４】
これにより、流入水路１からの水のうち、壁２１ａ〜２１ｃのそれぞれが受ける水量と、吸込水槽２の流入水路１と対向する側壁２２が受ける水量とが等しくなる。その結果、水路３３ａ〜３３ｄに流れ込む水量を均等にすることができる。
【００３５】
図４は、流入水路１の断面が円形である場合の壁２１ａ〜２１ｃの配置を説明する図である。流入水路１の円形断面において、計画高水位ＨＷＬが図示の位置に設定されている。そして、計画高水位ＨＷＬまで水がある場合に、断面の面積が４等分（３つの壁２１ａ〜２１ｃを設けるため）されるよう距離ｄ１１〜ｄ１４を定める。この距離ｄ１１〜ｄ１４は流入水路１の断面の半径や計画高水位ＨＷＬの位置に応じて算出できる。
【００３６】
そして、流入水路１の側壁１１と壁２１ａの端部２１ａｏとの距離をｄ１１とし、壁２１ａの端部２１ａｏと壁２１ｂの端部２１ｂｏとの距離をｄ１２とし、壁２１ｂの端部２１ｂｏと壁２１ｃの端部２１ｃｏとの距離をｄ１３と、壁２１ｃの端部２１ｃｏと流入水路１の側壁１２との距離をｄ１４とする。
【００３７】
これにより、流入水路１からの水のうち、壁２１ａ〜２１ｃのそれぞれが受ける水量と、吸込水槽２の流入水路１と対向する側壁２２が受ける水量とが等しくなる。その結果、水路３３ａ〜３３ｄに流れ込む水量を均等にすることができる。
【００３８】
流入水路１の断面が矩形や円形でない場合であっても同様に考えればよい。すなわち、吸込水槽２内に設ける壁の数に応じて断面の面積を等分し、その間隔で壁を配置すればよい。
【００３９】
以上はポンプ３２ａ〜３２ｄの吐出量（容量）がすべて等しいことを想定していたが、吐出量が異なる場合は、吐出量に応じた間隔で壁２１ａ〜２１ｄを配置すればよい。簡単な例として、ポンプ３２ａの容量がポンプ３２ｂ，３２ｃ，３２ｄの２倍である場合、図３において、ｄ１：ｄ２：ｄ３：ｄ４＝２：１：１：１とすればよい。
【００４０】
図５は、壁２１ａ〜２１ｃを設けない場合の水の流れを模式的に示す図ある。壁２１ａ〜２１ｃを設けない場合、流入水路１から離れた水路ほど多くの水が流れ込み、ポンプ吸込水路３への偏流が大きい。結果として、ポンプの性能に悪影響を与え、その能力を発揮できない。
【００４１】
これに対し、本実施形態では、吸込水槽２内に壁２１ａ〜２１ｄを設け、水の流れの方向を変える。そのため、壁２１ａ〜２１ｄによってポンプ３２ａ〜３２ｄに均等に水が流れ込むため、各ポンプ３２ａ〜３２ｄの能力を最大限に発揮することができる。また、吸込水槽２を長くする必要がなくなり、排水機場１００を小型化できる。
【００４２】
なお、上述した態様は一例にすぎず、種々の変形を想到できる。例えば、流入水路１が延びる方向とポンプ吸込水路３が延びる方向は必ずしも直交していなくてもよく、両方向のなす角度θは、例えば４５〜１３５度であってもよい。この場合、壁２１ａ〜２１ｃは、水が流れる方向を角度θだけ変えるような形状とすればよい。
【００４３】
また、壁２１ａ〜２１ｃの形状は吸込水槽２に流れ込む水の損失が少なくなるよう湾曲しているのが望ましいが、直線状であってもよく、特に制限はない。さらに、壁の数は、ポンプ吸込水路に設けられる水路の数に応じて適宜設定すればよく、具体的には（水路の数−１）個設ければよい。
【００４４】
図６Ａおよび図６Ｂは、壁の形状の例を示す図である。以下、壁に当たる前の水流方向における壁の長さをＡとし、壁に当たった後の水流方向における壁の長さをＢとし、壁に当たる前後の水流方向がなす角度をＣとする。
図６Ａ（ａ）に示すように、長さＡと長さＢとを等しくし、角度Ｃをほぼ９０度とし、壁の幅をほぼ一定としてもよい。
図６Ａ（ｂ）に示すように、長さＡと長さＢとをほぼ等しくし、角度Ｃをほぼ９０度とし、壁の流入水路１側の端部に向かって幅を狭くしてもよい。
図６Ａ（ｃ）に示すように、長さＡと長さＢとをほぼ等しくし、角度Ｃをほぼ９０度とし、壁のポンプ吸込水路３側の端部に向かって幅を狭くしてもよい。
図６Ａ（ｄ）に示すように、長さＡと長さＢとをほぼ等しくし、角度Ｃをほぼ９０度とし、壁の流入水路１側およびポンプ吸込水路３側の端部に向かって幅を狭くしてもよい。
図６Ａ（ｅ）に示すように、長さＡと長さＢとを等しくし、角度Ｃを９０度未満とし、壁の幅をほぼ一定としてもよい。
図６Ｂ（ａ）に示すように、長さＡより長さＢを長くし、角度Ｃをほぼ９０度とし、壁の幅をほぼ一定としてもよい。
図６Ｂ（ｂ）に示すように、長さＡより長さＢを短くし、角度Ｃをほぼ９０度とし、壁の幅をほぼ一定としてもよい。
図６Ｂ（ｃ）に示すように、長さＡと長さＢとをほぼ等しくし、角度Ｃをほぼ９０度とし、壁における水が当たる面のみを湾曲させ、その反対側の面を直線状としてもよい。
図６Ｂ（ｄ）に示すように、長さＡと長さＢとをほぼ等しくし、角度Ｃを９０度以上とし、壁の幅をほぼ一定としてもよい。
【００４５】
図７は、壁の形状の例を示す図である。壁は湾曲していても直線であってもよく、以下のような例が挙げられる。
壁の断面形状は、直角三角形（図７（ａ））、二等辺三角形（図７（ｂ））、正三角形など任意の三角形であってもよいし、楕円形（図７（ｃ））であってもよいし、円形（図７（ｄ））であってもよい。
また、壁の断面形状は、水流が当たる面を直線形状とし、その他の面は任意形状としてもよく、四角形（図７（ｅ））、五角形（図７（ｆ））などの多角形でもよい。
その他、壁の断面形状は例示した形状のものを複数組み合わせてもよい（図７（ｇ），（ｈ））。
【００４６】
壁の形状は以上説明したものに限られない。例えば、図６Ａおよび図６Ｂで説明した壁のそれぞれに図７で説明した形状を適用してもよい。
【００４７】
壁２１ａ〜２１ｃは上下動可能であってもよく、ポンプの運転台数や運転号機に応じて上下動させてもよい。例えば、図１のポンプ３２ｂのみが運転する場合、壁２１ｂのみを下降させ、壁２１ａ，２１ｃを上昇させる。これにより、流入水路１からの水を主としてポンプ３２ｂに導くことができる。また、流入水路１からの流入量がきわめて少なく、ポンプ１台のみを運転する場合であって、減勢および整流を要さない場合、全ての壁２１ａ〜２１ｃを上昇させてもよい。
【００４８】
（第２の実施形態）
次に説明する第２の実施形態は、管理運転を可能とするものである。ポンプ３２ａ〜３２ｄは、通常は停止しており、大雨など流入水路１からの水量が多いときに運転する。よって、長期間ポンプ３２ａ〜３２ｄが運転しないこともあり得る。そのため、ポンプ３２ａ〜３２ｄが正常に動作することを定期的に確認しておく必要があり、そのための運転を管理運転という。
【００４９】
図８は、第２の実施形態に係る排水機場１０１を上方から見た図である。図９は、図８の排水機場１０１をＣ−Ｃ断面から見た図である。以下、第１の実施形態との相違点を中心に説明する。
【００５０】
排水機場１０１は、残水排水槽４と、残水排水槽４内に設けられた残水排水ポンプ４１を備えている。吸込水槽２における流入水路１と対向する側壁２２には連通口２３が形成されており、この連通口２３を介して吸込水槽２から残水排水槽４に水が流れることができる。残水排水ポンプ４１は揚水ポンプであり、吸込水槽２内の水を揚水して、例えば下水処理施設に排水する。
【００５１】
ポンプ３２ａ〜３２ｄは、ポンプ吸込水路３内の水を排水するが、吸込水槽２内の水をすべて排水できるとは限らず、吸込水槽２内に水が残ることもある。そこで、本実施形態では、吸込水槽２内の残水を残水排水槽４に引き込み、残水排水ポンプ４１で揚水して排水する。これにより、吸込水槽２内を常時はドライにすることができ、水質の悪化や悪臭を抑えることができる。
【００５２】
ここで、吸込水槽２の底部は流入水路１から残水排水槽４に向かって下方に傾斜し、かつ、図９に示すように残水排水槽４の底面は吸込水槽２の底面より低いのが望ましい。残水や残水に含まれる塵芥を吸込水槽２から残水排水槽４に導くことができるためである。望ましくは、排水機場１０１はバケット（塵芥吊り上げ機）４２を備える。このバケット４２は残水排水槽４の上方に設けられた開口を通って下降し、残水排水槽４に集まった塵芥を吊り上げて外部に排出する。
【００５３】
また、図８に示すように、排水機場１０１は、管理運転用に、流入ゲート５１ａ〜５１ｄと、バイパス水路５２と、管理運転用バイパスゲート５３とを備えている。
【００５４】
流入ゲート５１ａ〜５１ｄは、それぞれ水路３３ａ〜３３ｄと吸込水槽２との間に設けられる。そして、不図示の昇降機構が流入ゲート５１ａ〜５１ｄを個別に昇降させることができる。例えば、流入ゲート５１ｄが上昇すると吸込水槽２と水路３３ｄとの間で水が流れることができ、流入ゲート５１ｄが下降すると吸込水槽２と水路３３ｄとの間で水が流れることができなくなる。
【００５５】
バイパス水路５２は吐出水槽（不図示）からの水が流れ込む。ポンプ吸込水路３の水路３３ｄ側の側壁には連通口３４ｄが形成されており、この連通口３４ｄに管理運転用バイパスゲート５３が設けられる。また、隔壁３１ａ〜３１ｃにはそれぞれ連通口３４ａ〜３４ｃが形成されている。すなわち、管理運転用バイパスゲート５３は流入ゲート５１ａ〜５１ｄとポンプ３２ａ〜３２ｄとの間に設けられる。なお、水路３３ａに接続されるバイパス水路および管理運転用バイパスゲートをさらに設けてもよい。
【００５６】
通常、管理運転用バイパスゲート５３は閉じている。管理運転を行う際には、管理運転用バイパスゲート５３を開くとともに、流入ゲート５１ａ〜５１ｄをその下端が吸込水槽２の底部に接するまで下降させる。これにより、バイパス水路５２からの水が連通口３４ａ〜３４ｄを通ってポンプ３２ａ〜３２ｄに流れ込み、ポンプ３２ａ〜３２ｄを運転させることができる。
【００５７】
このように、第２の実施形態では、残水排水槽４および残水排水ポンプ４１を設ける。そのため、吸込水槽２内の残水を排水できる。また、流入ゲート５１ａ〜５１ｄ、バイパス水路５２および管理運転用バイパスゲート５３を設ける。そのため、簡易にポンプ３２ａ〜３２ｄの管理運転を行うことができる。
【００５８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００５９】
１  流入水路
２  吸込水槽
２１ａ〜２１ｃ  壁
２２  側壁
２３  連通口
３  ポンプ吸込水路
３１ａ〜３１ｃ  隔壁
３２ａ〜３２ｄ  ポンプ
３３ａ〜３３ｄ  水路
４  残水排水槽
４１  残水排水ポンプ
４２  バケット
５１ａ〜５１ｄ  流入ゲート
５２  バイパス水路
５３  管理運転用バイパスゲート
【図１】
0006624980.tif 000002
【図２】
0006624980.tif 000003
【図３】
0006624980.tif 000004
【図４】
0006624980.tif 000005
【図５】
0006624980.tif 000006
【図６Ａ】
0006624980.tif 000007
【図６Ｂ】
0006624980.tif 000008
【図７】
0006624980.tif 000009
【図８】
0006624980.tif 000010
【図９】
0006624980.tif 000011